(57)【要約】【課題】商品自動搬出機の外扉を開けることなく商品引換カード等の詰まりを解消させる。【解決手段】商品自動搬出機１００において、外扉２に設けられるカード投入ユニット１０は、外扉２の開口部２ａのうちの少なくともカードリーダの前方領域Ｓに対応する部位を外扉２の外壁面側から覆うカバー１２と、外扉２の外壁面に固定されるパネル１３であってその縁部（１３２ａ，１３２ｂ）の所定部位１３３がこの所定部位１３３に対向するカバー１２の外縁１２０と係合するパネル１３と、を含む。商品自動搬出機１００は、パネル１３とカバー１２との係合を解除するための解除部材Ｊをパネル１３を貫通させて所定部位１３３に向かって挿通可能な挿通経路１３５を有する。【選択図】図１３
2017227950.tif 000002
【特許請求の範囲】
【請求項１】
一側面が開口された装置本体内に商品収納装置を備え、前記開口を開閉する外扉に設けられる投入部を介して投入された記録媒体に記録されている情報を読取部により読取り、該読取情報に基づいて前記商品収納装置内の商品を搬出する商品自動搬出装置であって、
前記投入部は、
前記記録媒体が投入される投入口と、
前記投入口から投入された前記記録媒体を前記装置本体内に配置される前記読取部の前方領域を通過させて前記装置本体内へ導く通路と、
前記外扉における少なくとも前記前方領域に対応する部位に開口された開口部のうちの少なくとも前記前方領域に対応する部位を、前記外扉の外壁面側から覆うように配置されるカバーと、
前記外扉の外壁面に固定されるパネルであって、その縁部の所定部位が該所定部位に対向する前記カバーの外縁と係合するパネルと、
を含み、
前記パネルと前記カバーとの係合を解除するための解除部材を、前記パネル又は前記カバーを通過させて前記所定部位に向かって挿通可能な挿通経路を有する、商品自動搬出装置。
【請求項２】
前記パネルは、前記カバーの外縁を囲むように枠状に形成され、前記縁部のうちの枠内縁の前記所定部位が前記カバーの外縁と係合する、請求項１に記載の商品自動搬出装置。
【請求項３】
前記パネルは、略矩形の枠状に形成される、請求項２に記載の商品自動搬出装置。
【請求項４】
前記パネルの前記カバーと係合する前記所定部位は、前記枠内縁のうちの互いに対向する一対の枠内縁のそれぞれに位置し、
前記挿通経路は、前記一対の枠内縁のうちのいずれか一方に対向する前記枠外縁を通過する、請求項３に記載の商品自動搬出装置。
【請求項５】
前記一対の枠内縁は下側内縁と上側内縁である、請求項４に記載の商品自動搬出装置。
【請求項６】
前記挿通経路は、前記パネルの下端枠側に形成される、請求項３又は４に記載の商品自動搬出装置。
【請求項７】
前記カバーは、前記外扉の外壁面側から前記パネルの枠内縁に嵌合される、請求項２〜６のいずれか一つに記載の商品自動搬出装置。
【請求項８】
前記カバーは、その外縁のうちの前記所定部位に対応する部位に突設されると共に前記所定部位と係合する係合爪を有し、
前記係合爪が前記挿通経路を介して挿通される前記解除部材により押圧されて弾性変形することにより、前記カバーと前記パネルとの係合が解除される、請求項１〜７のいずれか一つに記載の商品自動搬出装置。
【請求項９】
前記パネルは、前記所定部位に突設されると共に前記カバーの外縁と係合する係合爪を有し、
前記係合爪が前記挿通経路を介して挿通される前記解除部材と当接して弾性変形することにより、前記カバーと前記パネルとの係合が解除される、請求項１〜７のいずれか一つに記載の商品自動搬出装置。
【請求項１０】
前記係合爪は、少なくとも２箇所に設けられる、請求項８又は９に記載の商品自動搬出装置。
【請求項１１】
前記装置本体内に設けられ、前記読取部により前記情報が読取られた前記記録媒体を収納して回収する回収部を更に備え、
前記通路は、上下方向に延伸するように形成され、その上端が前記投入口に接続され、下端が前記回収部に向かって下向きに開口される、請求項１〜１０のいずれか一つに記載の商品自動搬出装置。
【請求項１２】
前記通路のうちの前記前方領域より下方の領域にて進退することにより前記記録媒体の移動を規制する進退ロッドを有し、前記通路内の前記前方領域に前記記録媒体を一時保持する保持部をさらに備える、請求項１１に記載の商品自動搬出機。
【発明の詳細な説明】
【技術分野】
【０００１】
本発明は、複数の商品が収納されると共に収納された商品を順次搬出して、商品を利用者に提供する商品自動搬出機に関する。
【背景技術】
【０００２】
商品を利用者に提供する装置としては、例えば、特許文献１に記載されている自動販売機が一般的に知られている。この種の装置は、適宜の容器に入れられた複数の種類の容器入り飲料等の商品を適温に冷却又は加温して商品収納庫内に収納している。そして、この装置は、利用者により硬貨等の金銭が投入されると共に商品選択ボタンが押され、投入金銭等が選択された商品の代金以上であることを判別した場合に、選択された商品を商品収納庫から商品受取部に搬出することにより、利用者に商品を提供するように構成されている。
【０００３】
このように、この種の装置の利用者は、商品を受取るためには、少なくとも硬貨等を投入すると共に商品選択ボタンを押下するという操作を行う必要がある。
【先行技術文献】
【特許文献】
【０００４】
【特許文献１】特開２０１１−１７０５８６号公報
【発明の概要】
【発明が解決しようとする課題】
【０００５】
ところで、この種の装置の利用者は、金銭投入、商品選択ボタンの押下及び必要な場合は返却硬貨等の受取りといった一連の操作（動作）を行わなければならず、この一連の操作の手数が多く、煩わしさを感じる場合があり、その工夫が求められている。
この点について、例えば、利用者の購入希望商品についての情報が記録されたＩＣカード等の記録媒体を店舗等において事前に発行し、装置前面の外扉に記録媒体の投入口を設けると共に装置内に記録媒体の情報を読取る読取部を設け、その読取情報に応じた商品を搬出させて利用者に提供し、記録媒体を装置側で回収することが考えられる。
しかし、このように投入口を介して記録媒体を装置内に投入可能に構成した場合、読取部等の不具合（故障）が発生したり、投入口を介して異物が投入されたりして、その結果、記録媒体を装置内に導く通路が詰まるという不具合が発生する可能性がある。そして、この通路詰まりが発生した場合、外扉を開けて、店舗の店員等により詰まりを解消させることができるが、装置内の温度（庫内温度）が適正温度範囲を超えてしまい、商品の商品価値を低下させる可能性がある。特に、商品が過冷却状態に冷却された過冷却商品である場合には、外扉を開けると、商品価値を著しく低下させる可能性が高い。
【０００６】
そこで、本発明は、このような実状に鑑み、商品を受取る際の装置に対する利用者の操作手数を減らし、利用者が簡単に商品を受取ることが可能であると共に、外扉を開けることなく記録媒体等の詰まりを解消させることが可能な商品自動搬出機を提供することを目的とする。
【課題を解決するための手段】
【０００７】
本発明の一側面による商品自動搬出機は、一側面が開口された装置本体内に商品収納装置を備え、前記開口を開閉する外扉に設けられる投入部を介して投入された記録媒体に記録されている情報を読取部により読取り、該読取情報に基づいて前記商品収納装置内の商品を搬出する。前記投入部は、前記記録媒体が投入される投入口と、前記投入口から投入された前記記録媒体を前記装置本体内に配置される前記読取部の前方領域を通過させて前記装置本体内へ導く通路と、前記外扉における少なくとも前記前方領域に対応する部位に開口された開口部のうちの少なくとも前記前方領域に対応する部位を、前記外扉の外壁面側から覆うように配置されるカバーと、前記外扉の外壁面に固定されるパネルであって、その縁部の所定部位が該所定部位に対向する前記カバーの外縁と係合するパネルと、を含む。前記商品自動搬出機は、前記パネルと前記カバーとの係合を解除するための解除部材を、前記パネル又は前記カバーを通過させて前記所定部位に向かって挿通可能な挿通経路を有する。
【発明の効果】
【０００８】
前記一側面による商品自動搬出機によれば、一側面が開口された装置本体の開口を開閉する外扉に設けられる投入部の投入口から投入された記録媒体を、前記通路を介して装置本体内の読取部の前方領域に導く。そして、前記商品自動搬出機は、前記前方領域に導かれた記録媒体から読取部により情報を読取り、その読取情報に基づいて商品収納装置内の商品を搬出する。したがって、利用者は、単に、記録媒体を投入口から投入するだけで搬出された商品を受取ることができる。また、情報が読取られた記録媒体は返却されることなく通路を介して装置本体内に導かれて回収されるため、利用者が記録媒体のその後の処理や管理に煩わしさを感じることもない。さらに、通常時においては、カバーにより少なくとも通路詰まりの主な発生箇所である読取部の前方領域を外扉の外壁面側から覆うと共に、このカバーを外扉の外壁面に固定されるパネルと係合させることにより、カバーを読取部の前方領域を覆った状態で保持することができる。また、通路詰まりの発生時においては、店舗の店員等により、挿通経路を介して解除部材を、カバーの外縁と係合するパネルの縁部の所定部位に向かって挿通させることにより、パネルとカバーとの係合を解除させることができる。したがって、通路詰まりの発生時においては、解除部材を用いてカバーをはずして異物等を取除くことができるため、外扉を閉じた状態で通路詰まりを解消させることができる。
【０００９】
このようにして、商品を受取る際の装置に対する利用者の操作手数を減らし、利用者が簡単に商品を受取ることが可能であると共に、外扉を開けることなく記録媒体等の詰まりを解消させることが可能な商品自動搬出機を提供することができる。
【図面の簡単な説明】
【００１０】
【図１】本発明の実施形態における商品自動搬出機の外観を示す斜視図である。
【図２】図１に示す商品自動搬出機の外扉が開いた状態を示す斜視図である。
【図３】上記商品自動搬出機の概略のブロック図である。
【図４】図１に示すＡ部（カード投入ユニット）の拡大正面図である。
【図５】図１に示すＡ部を拡大した要部拡大斜視図である。
【図６】図１に示すＡ部を別の角度から示した要部拡大斜視図である。
【図７】図４に示すＢ−Ｂ矢視における要部断面図である。
【図８】上記商品自動搬出機の動作を説明するための概念図である。
【図９】図５に示すカード投入ユニットからカバーを取外した状態を示す図である。
【図１０】図４に示すＣ−Ｃ矢視における要部断面図である。
【図１１】図１０に示すＣ１部の拡大図である。
【図１２】図１０に示すＣ２部の拡大図である。
【図１３】上記パネルとカバーとの係合の解除方法を説明するための概念図である。
【図１４】上記カバーがパネルから取外されたときの上記商品自動搬出機の状態を示した図である。
【発明を実施するための形態】
【００１１】
以下、添付図面を参照して本発明の実施形態について説明する。
図１は、本発明の実施形態における商品自動搬出機１００の斜視図である。図２は、商品自動搬出機１００について、後述する外扉２が開いた状態を示す斜視図である。図３は商品自動搬出機１００の概略ブロック図であると共に商品自動搬出機１００の動作を説明するための概念図である。
商品自動搬出機１００は、商品として容器入り飲料（本実施形態ではペットボトルに入った飲料）を冷却して収納すると共に利用者の求めに応じて商品を搬出可能に構成され、前面（利用者が対面する一側面）が開口された商品自動搬出機本体１と、商品自動搬出機本体１の前面の開口を開閉する外扉２と、後述する商品収納庫１ａの前面を開閉する内扉３とを備える。なお、本実施形態では、商品自動搬出機１００は、例えば、コンビニエンスストア等の店舗内に配置されている場合を一例に挙げて以下説明する。
【００１２】
この商品自動搬出機１００は、硬貨、紙幣、電子マネーではなく、少なくとも商品の搬出を許可する搬出許可情報を含む情報が予め記録された記録媒体としての商品引換カードＣを介して、商品を利用者の求めに応じて搬出可能に構成されたものである。
本実施形態において、商品引換カードＣは、図示を省略するが、渦巻状のコイルアンテナと、前記情報が記録されると共に前記コイルアンテナと接続されるＩＣチップとを内蔵した一般的な非接触式のＩＣカードである場合を一例に挙げて以下説明する。この商品引換カードＣに記録された前記情報の詳細、及び、利用者がこの商品引換カードＣを入手する方法については後に詳述する。
【００１３】
前記商品自動搬出機本体１は、商品を収納するための商品収納庫１ａと、商品を冷却するための冷却装置の一部を収容する機械室１ｂとに区分されている。機械室１ｂは商品収納庫１ａの下方に位置する。商品自動搬出機本体１は、前面が開口され、商品収納庫１ａを囲む断熱壁１ｃを有して形成されている。本実施形態においては、この商品自動搬出機本体１が、本発明に係る「装置本体」に相当する。
【００１４】
前記商品収納庫１ａは、前面が開口され、上面側、背面側、底面側及び左右両側面側が断熱壁１ｃによって囲まれた断熱構造を有して形成されている。この商品収納庫１ａ内には、商品収納装置４が配設されている。商品収納装置４は、言い換えると、商品自動搬出機本体１内に備えられている。商品収納装置４の下方には、多数の通気孔を有する平板状の部材であり、商品自動搬出機１００の前面側に向って下降するように傾斜して配設される商品シュータ５（図３参照）が設けられている。また、商品収納庫１ａの下部には、前記冷却装置の一部が設けられている。
本実施形態では、商品収納庫１ａは、左右幅方向の中央部に上下方向に延設される隔壁１ｄを介して二つに区画されており、この区画された各庫室にそれぞれ商品収納装置４が配置されている。なお、商品収納装置４については、後に詳述する。
【００１５】
前記外扉２は、商品自動搬出機本体１の前面の開口を開閉する扉であり、その幅方向一端側が商品自動搬出機本体１に回動自在に支持されている。外扉２には、図１、図２及び図１に示すＡ部の拡大正面図ある図４に示すように、利用者が商品引換カードＣを投入するための投入口１０ａを有するカード投入ユニット１０が設けられている。このカード投入ユニット１０の背面（つまり、商品自動搬出機本体１内側の端面）には、図２に示すように、商品引換カードＣに記録されている前記情報を読取るカードリーダ６が取付けられている。このカードリーダ６は、商品自動搬出機本体１内に配置され、カード投入ユニット１０を介して投入された商品引換カードＣに記録されている前記情報を、例えば、非接触で読取可能に構成されている。このカードリーダ６で読取った読取情報は、例えば、制御部３０に出力される。本実施形態においては、カードリーダ６が本発明に係る「読取部」に相当し、カード投入ユニット１０が本発明に係る「投入部」に相当する。
【００１６】
本実施形態では、外扉２におけるカード投入ユニット１０が取付けられる部位には、開口部２ａ（図１及び図４参照）が矩形状に開口されている。開口部２ａは、例えば、その開口縁が後述する枠状のパネル１３の枠外縁１３１より小さく且つパネル１３の枠内縁１３２より大きくなるように開口されている。また、外扉２には、利用者が商品を受取るための受取口２ｂが開口されている。そして、受取口２ｂの開口上端部には外扉側フラップ７が前後方向に回動可能に取付けられ、この外扉側フラップ７により受取口２ｂが開閉される。外扉２の内壁面側における受取口２ｂに対応する部位には、商品収納装置４内から払出された商品を受ける商品受部８が取付けられている。また、外扉２の内壁面側には、商品引換カードＣの回収部２０と、前記冷却装置等の動作を制御する制御部３０とが設けられている。なお、カード投入ユニット１０、回収部２０及び制御部３０については後に詳述する。
【００１７】
前記内扉３は、商品自動搬出機本体１内の商品収納庫１ａの前面を開閉する扉であり、断熱材を内部に備えて形成された扉である。この断熱性の内扉３の下部には、商品収納庫１ａと受取口２ｂとを連通する商品搬出口３ａが幅方向（左右方向）に複数（図では二つ）開口されている。商品搬出口３ａの開口上端部には内扉側フラップ９が前後方向に回動可能に取付けられ、この内扉側フラップ９により商品搬出口３ａが開閉される。
【００１８】
前記商品収納装置４は、複数の商品が収納されると共に収納された商品を順次搬出するものである。本実施形態では、商品収納装置４は、複数種類の商品を収納可能に構成されている。また、本実施形態では、商品収納装置４は、商品収納庫１ａ内の隔壁１ｄにより区画される各庫室にそれぞれ配置されている。この二つの商品収納装置４は、それぞれ、図２及び図３に示すように、前後方向に複数（ここでは五つ）の商品収納コラム４ａを有する。各商品収納コラム４ａは、同種の複数の商品（容器入り飲料）を上下方向に並べて収納すると共に最下部に位置する商品から順次搬出可能に構成されている。商品収納装置４では、各商品収納コラム４ａの上端側の商品投入口から投入された商品を、商品収納コラム４ａにおける蛇行状の商品通路内に上下方向に積み重ねて収納する。そして、商品収納装置４の下端側に設けられた商品搬出機構４ｂによって、最下端に位置する商品から順に１つずつ商品シュータ５側に落下搬出可能に構成されている。
【００１９】
本実施形態では、各商品収納装置４（図２において、左側を「第１収納装置４１」、右側を「第２収納装置４２」という）はそれぞれ５種類の商品を収納可能である。したがって、商品収納庫１ａ内には合計１０種類の商品を収納可能であるが、本実施形態では、各商品収納装置４（４１，４２）には、それぞれ、同じバリエーションの商品が同様に収納されている場合を一例に挙げて以下説明する。つまり、第１収納装置４１内の５種類の商品と第２収納装置４２内の５種類の商品は同じであり、同種の商品が収納される商品収納コラム４ａの前後方向の位置も同じであるものとする。この前後方向の位置が同じ商品収納コラム４ａにはそれぞれ、同じコラム番号ＣＮが振り当てられている。つまり、例えば、第１収納装置４１の最前列の商品収納コラム４ａのコラム番号ＣＮと第２収納装置４２の最前列の商品収納コラム４ａのコラム番号ＣＮは同じであり、コラム番号ＣＮとしては、最前列側から順に１，２，３，４，５が振り当てられる。
【００２０】
本実施形態において、商品収納庫１ａ内の各庫室は、その内部が図示省略した冷却装置によってそれぞれ冷却され、商品収納装置４内に収納された商品を、過冷却状態に冷却する過冷却室として機能するように構成されているものとする。そのため、前記冷却装置は、制御部３０によって、前記各庫室内の温度が商品を過冷却状態に冷却し保持可能な設定温度に保持されるように、その動作が制御されている。
【００２１】
ここで、前記設定温度は、商品としての容器入り飲料の凝固点以下の温度であり、例えば、−５℃前後（−２℃〜−８℃）とされ、通常のコールド飲料よりも、温度が低い上、その設定温度範囲が狭い。この商品としての容器入り過冷却飲料は、所定時間の間、過冷却状態で維持されることにより、その商品価値を有する。したがって、例えば、過冷却飲料が第１収納装置４１及び第２収納装置４２内にて過冷却状態で収納されていたとしても、オペレータ等により常温の商品が補充されると、商品補充がされた一方の庫室内の温度が変化し、その庫室内の商品の商品価値を損ねてしまう可能性がある。
この点について、本実施形態では、各商品収納装置４（４１，４２）のうちの一方を、搬出可能な搬出中装置として設定し、他方を、搬出を強制停止する準備中装置として設定し、所定時間毎に、搬出中装置及び準備中装置の設定対象を切替え可能に構成されている。これにより、オペレータ等が準備中装置として設定された一方の商品収納装置（４１又は４２）に商品を補充することにより、搬出中装置として設定された他方の商品収納装置（４２又は４１）内の商品価値を損ねることを抑制することができる。
【００２２】
次に、商品引換カードＣに記録された前記情報、及び、利用者がこの商品引換カードＣを入手する方法について説明する。
【００２３】
商品引換カードＣに記録される前記情報は、商品収納装置４内に収納された商品についての搬出を許可する搬出許可情報を少なくとも含む。この搬出許可情報は、本実施形態では、利用者がコンビニエンスストア等の店舗のカウンター等において店員に購入意思を伝えた搬出対象（購入対象）の商品種別（商品の種類）を識別可能な商品識別情報からなるものであり、商品種別毎にそれぞれ予め定められている。商品識別情報としては、例えば、飲料番号ＤＮが商品種別毎に振り当てられる。具体的には、５種類の商品を商品収納装置４内に収納する本実施形態では、例えば、飲料番号ＤＮが１の商品は、コラム番号ＣＮが１の商品収納コラム４ａに収納され、以下同様に、飲料番号ＤＮが２〜５の商品は、コラム番号ＣＮが２〜５の商品収納コラム４ａにそれぞれ収納されるものとする。
【００２４】
利用者は、例えば、コンビニエンスストア等の店舗のカウンター等において、店員に購入したい商品についての購入意思を伝えると共にその商品の対価に対する決済を、現金（硬貨、紙幣）、電子マネーカード、クレジットカード、プリペイドカード、デビットカード等の所望の方法（形態）により行う。そして、利用者は、その決済後、店員からその商品の商品識別情報が記録された商品引換カードＣを受取る。このように、利用者は、購入したい商品の選択とその商品についての決済を、装置（商品自動搬出機１００）に対してではなく、店員との対面式により行うことにより、商品引換カードＣを入手する。したがって、例えば、利用者が店舗内の商品棚等に陳列されている他の商品についても購入する場合には、その陳列商品と、商品自動搬出機１００内に収納されている商品についての決済を、前記所望の方法（形態）にて一度に行うこともできる。また、装置の操作に不慣れな高齢者や外国人等の利用者であっても、商品自動搬出機１００内に収納されている商品について、店員のサポート等によりスムーズに商品選択及び決済を対面式により行うことができる。
【００２５】
次に、カード投入ユニット１０について説明する。
図４〜図７は、それぞれ、商品自動搬出機１００のカード投入ユニット１０を含む要部を示した図である。図５及び図６は図１に示すＡ部を拡大した要部拡大斜視図である。図５は正面側から視て斜め右上方から視た図であり、図６は正面側から視て斜め右下方から視た図である。図７は図４に示すＢ−Ｂ矢視における要部断面図である。
【００２６】
前記カード投入ユニット１０は、商品引換カードＣをカードリーダ６の近傍に導くと共に回収部２０に払出すためのものである。
本実施形態では、カード投入ユニット１０は、図４〜図７に示すように、カードロック部１１と、カバー１２と、パネル１３と、支持フレーム１４と、表示部１５とを含んで構成されている。カード投入ユニット１０は、外扉２の開口部２ａの部位にて、その正面側部位（カバー１２及びパネル１３等）が外扉２の外壁面側に、背面側部位（支持フレーム１４等）が、外扉２の内壁面側に配置されている。そして、カード投入ユニット１０は、前記正面側部位と前記背面側部位との間に外扉２を挟むようにして、外扉２に固定されている。また、カード投入ユニット１０は、図５〜図７に示すように、その正面側部位の中央部（詳しくは支持フレーム１４等）が前方（利用者側）に向かって膨出するように形成されている。なお、本実施形態において、前記カードロック部１１が本発明に係る「保持部」に相当する。
【００２７】
カード投入ユニット１０には、図１、図５及び図７に示すように、商品引換カードＣが投入される投入口１０ａが開口されている。本実施形態では、投入口１０ａは、カード投入ユニット１０における前方に向かって膨出した前記中央部にて、上向きに開口されている。
【００２８】
また、カード投入ユニット１０の内部には、図７に示すように、投入口１０ａから投入された商品引換カードＣをカードリーダ６の前方領域Ｓを通過させて商品自動搬出機本体１内へ導く通路１０ｂが形成されている。本実施形態では、通路１０ｂは、カードリーダ６の前方領域Ｓにて上下方向に延伸するように形成され、その上端（一端）が投入口１０ａに接続され、下端（他端）が回収部２０に向かって下向きに開口されている。外扉２の開口部２ａは、図４、図５及び図７に示すように、外扉２における少なくともカードリーダ６の前方領域Ｓに対応する部位に開口されている。ここで、前方領域Ｓとは、通路１０ｂ内の領域のうちのカードリーダ６に近接する領域を示す。本実施形態では、前方領域Ｓは、カードリーダ６の正面（支持フレーム１４の背面と当接する端面）のうちの実際に情報を読取るアンテナ等が内蔵されている下側の部位（図７では二点鎖線で示す）の前方に位置する領域のことを示すものとする。
通路１０ｂは、詳しくは、カード投入ユニット１０のうちの前記正面側部位（カバー１２及びパネル１３等）と前記背面側部位（支持フレーム１４等）とにより区画されている。通路１０ｂの上側部分は、カバー１２の背面と支持フレーム１４の前面との間に形成され、商品引換カードＣの投入ガイド部となる。カバー１２の背面のうちの通路１０ｂの上側部分に対応する部位（詳しくは後述するカバー本体部１２１の背面のリブ１２５）は、通路１０ｂの上部の有効通路断面積が下方に向かうにしたがって小さくなるように傾斜形成されている。通路１０ｂの下側部分は、パネル１３の背面と支持フレーム１４の前面との間に形成され、鉛直方向に延びている。
【００２９】
前記カードロック部１１は、通路１０ｂ内の前方領域Ｓに商品引換カードＣを一時保持するためのものであり、例えば、支持フレーム１４の背面におけるカードリーダ６より下方に配置されている。
本実施形態では、カードロック部１１は、図３、図７に示すように、通路１０ｂのうちのカードリーダ６の前方領域Ｓより下方の領域にて進退することにより、商品引換カードＣの移動を規制する進退ロッド１１ａを有する。例えば、カードロック部１１は、初期状態（つまり、商品引換カードＣの投入前及び投入時）では進退ロッド１１ａを通路１０ｂ内に進出（突出）させて、商品引換カードＣの下端に進退ロッド１１ａを当接させる。これにより、カードロック部１１は、投入された商品引換カードＣの落下を阻止（ロック）し、通路１０ｂ内におけるカードリーダ６の前方領域Ｓで商品引換カードＣを停止させて一時的に保持する。このカードロック部１１の動作は制御部３０により制御される。
なお、進退ロッド１１ａが進出して商品引換カードＣが位置決めされている状態で、商品引換カードＣの上端が投入口１０ａより十分に下方に位置するように、カードリーダ６及びカードロック部１１が配置されている。したがって、投入口１０ａから投入された商品引換カードＣが前方領域Ｓに位置している状態では、商品引換カードＣは外部から容易に抜き取ることができない位置（つまり、外部からのアクセスが困難又は不能な位置）にある。
【００３０】
前記カバー１２は、外扉２の開口部２ａのうちの少なくとも前方領域Ｓに対応する部位を、外扉２の外壁面側から覆うように配置され、パネル１３と係合するものである。カバー１２は、カード投入ユニット１０の正面側の中央部位を構成し、樹脂製部材からなる。
【００３１】
前記パネル１３は、外扉２の外壁面に固定されるものであって、その縁部１３０の所定部位１３３（後述する図９参照）がこの所定部位１３３に対向するカバー１２の外縁１２０と係合するものである。
【００３２】
前記支持フレーム１４は、カード投入ユニット１０のベースとなるものであり、外扉２の内壁面に固定されている。
なお、カバー１２、パネル１３及び支持フレーム１４の形状については後に詳述する。
【００３３】
次に、回収部２０及び制御部３０について、図１〜図３を参照して詳述する。
【００３４】
前記回収部２０は、商品自動搬出機本体１内に設けられ、カードリーダ６により前記情報が読取られた商品引換カードＣを収納して回収可能に形成された箱体である。
例えば、回収部２０は、その上方を開口して形成されると共に、カード投入ユニット１０の下方に配置されている。この回収部２０内に収容された使用済みの商品引換カードＣは、商品収納装置４（４１，４２）についての搬出中装置及び準備中装置の設定対象を切替える際（つまり、オペレータ等による商品補充の際）にオペレータ等により回収される。そして、回収された商品引換カードＣは同一店舗のカウンター等に残っている未決済（未使用）の商品引換カードＣと合わせて、次の搬出中装置用の商品引換カードＣとして、同一の商品自動搬出機１００に対して再利用される。この再利用される商品引換カードＣ内の情報は、書替えられることなくそのまま用いられる。つまり、飲料番号ＤＮが記録された商品引換カードＣは、そのまま同一店舗内の同一の商品自動搬出機１００に対して再利用される。
【００３５】
前記制御部３０は、外扉２の背面側に設けられ、例えば、商品自動搬出機１００の全体の動作を制御するものである。制御部３０は、前述したように前記冷却装置の動作を制御する。また、制御部３０は、搬出中装置及び準備中装置の設定対象の切替え、搬出中装置として設定された商品収納装置（詳しくは、商品搬出機構４ｂ）４の商品搬出動作、カードロック部１１の動作を制御する機能を有すると共に、適宜の情報を予め記憶する記憶部３１を備える。この記憶部３１には、どのコラム番号ＣＮ（＝１〜５）の商品収納コラム４ａにどの商品種別の商品が収納されているかを判別可能に、飲料番号ＤＮとコラム番号ＣＮとが関連付けて記憶されている。
【００３６】
制御部３０は、各商品収納装置４（４１，４２）のうちの一方を、商品搬出を可能な搬出中装置として設定し、他方を、商品搬出を強制停止する準備中装置として設定し、所定時間毎に、搬出中装置及び準備中装置の設定対象を切替え可能に構成している。制御部３０は、例えば、内蔵されたタイマーにより２４時間毎に、搬出中装置及び準備中装置の設定対象を自動的に切替えるように制御する。この切替え直前においては、例えば、搬出中装置（４１又は４２）は商品収納残数が減った状態であり、準備中装置（４２又は４１）は過冷却状態の商品を搬出可能な状態になっている。例えば、この切替え直後に、新たな準備中装置（４１又は４２）に対して、オペレータ等により商品が補充される。
【００３７】
また、制御部３０は、カードリーダ６によって商品引換カードＣから読取った読取情報に基づいて商品搬出機構４ｂに商品の搬出を許可する搬出許可指令を出力する。具体的には、制御部３０は、搬出中装置として設定されている商品収納装置４（４１又は４２）のうち、カードリーダ６の読取情報内の飲料番号ＤＮ（商品識別情報）に対応するコラム番号ＣＮの商品収納コラム４ａの商品搬出機構４ｂに対して、搬出許可指令を出力可能に構成されている。
【００３８】
次に、本実施形態の商品自動搬出機１００における前記情報の読取りから商品搬出までの動作を、図３，図７及び図８を参照して説明する。
【００３９】
利用者により投入口１０ａを介して商品引換カードＣが図７に示すように投入されると、商品引換カードＣは通路１０ｂを介してカードリーダ６の前方領域Ｓに導かれる。カードロック部１１は、この初期状態（図３参照）において、進退ロッド１１ａを通路１０ｂ内に進出させているため、商品引換カードＣは通路１０ｂ内におけるカードリーダ６の前方領域Ｓで停止する。そして、カードリーダ６は商品引換カードＣ内の前記情報を読取り、制御部３０に出力する。制御部３０は、搬出中装置として設定されている商品収納装置４（４１又は４２）のうち、読取情報内の飲料番号ＤＮに対応するコラム番号ＣＮの商品収納コラム４ａの商品搬出機構４ｂに対して、搬出許可指令を出力する。商品搬出機構４ｂに対して搬出許可指令が出力されると、商品搬出機構４ｂは、図８に示すように搬出方向に回動し、その商品収納コラム４ａの最下部から商品を下方に落下させる。その後、商品は、商品シュータ５の斜面に沿って転動し、商品搬出口３ａに取付けられた内扉側フラップ９を押し開いて、商品受部８内に払出される。利用者は、外扉側フラップ７を開いて商品受部８内の商品を受取る。
【００４０】
次に、本実施形態におけるパネル１３、カバー１２及び支持フレーム１４の形状について図４〜図７、図９〜図１２を参照して詳述する。
図９は図５に示すカード投入ユニットからカバーを取外した状態を示す図であり、図１０は図４に示すＣ−Ｃ矢視における要部断面図であり、図１１は図１０に示すＣ１部の拡大図であり、図１２は図１０に示すＣ２部の拡大図である。
【００４１】
本実施形態では、パネル１３は、カバー１２の外縁１２０を囲むように枠状に形成され、その枠外縁１３１と枠内縁１３２からなる縁部１３０のうちの枠内縁１３２の所定部位１３３がカバー１２の外縁１２０の係合爪１２６と係合する。
具体的には、パネル１３は、全体として略矩形の枠状に形成されている。つまり、パネル１３は、その中央部が概ね矩形状に開口され、その枠外縁１３１が概ね矩形状の輪郭を有すると共に枠外縁１３１の内側の枠内縁１３２も概ね矩形状の輪郭を有する。パネル１３は、樹脂製部材からなり、図７及び図１０に示すように、その枠外縁１３１及び枠内縁１３２の部位が屈曲して外扉２側に向って延伸している。また、パネル１３の背面側の適宜箇所には、補強用のリブが突設されている。
本実施形態では、パネル１３のカバー１２と係合する所定部位１３３は、枠内縁１３２のうちの互いに対向する一対の枠内縁１３２，１３２のそれぞれに位置している。具体的には、一対の枠内縁１３２，１３２は、枠内縁１３２のうちの下側内縁１３２ａと上側内縁１３２ｂである。所定部位１３３は、例えば、下側内縁１３２ａの幅方向両端部にそれぞれ設定されると共に、上側内縁１３２ｂの幅方向両端部にそれぞれ設定される。つまり、所定部位１３３は、本実施形態では合計４箇所に設定されている。
【００４２】
また、パネル１３の下端側には、外扉２に取付けられた状態で、前方領域Ｓに対応する位置に配置されるカードリーダ保護部１３４が設けられている。カードリーダ保護部１３４は、詳しくは、枠内縁１３２のうちの下側内縁１３２ａの幅方向中央部におけるパネル１３の厚み方向背面側に寄せた位置（図７及び図９参照）から上方に向けて突設されている。つまり、下側内縁１３２ａにおける二つの所定部位１３３の間に、カードリーダ保護部１３４が突設されている。また、枠内縁１３２のうちの上側内縁１３２ｂの幅方向中央部は表示部１５の上端が嵌合するように切欠き形成されている。
【００４３】
また、本実施形態において、パネル１３には、パネル１３とカバー１２との係合を解除するための解除部材Ｊ（後述する図１３参照）を、パネル１３を通過させて所定部位１３３に向かって挿通可能な挿通経路１３５を構成する挿通溝１３５ａが開口されている。
本実施形態では、挿通経路１３５は、一対の枠内縁１３２，１３２のうちのいずれか一方に対向する枠外縁１３１を通過するように形成されている。具体的には、挿通経路１３５は、パネル１３の下端枠側に形成されている。つまり、本実施形態では、パネル１３とカバー１２との係合箇所である所定部位１３３が下側内縁１３２ａと上側内縁１３２ｂとにそれぞれ設定されているが、挿通経路１３５は、図６及び図１０に示すように、下側内縁１３２ａ側にのみ形成されている。挿通溝１３５ａは、下側外縁１３１ａのうちの所定部位１３３に対応する２箇所を解除部材Ｊの断面形状に合わせ切欠くことにより形成される。また、パネル１３は、図６及び図１０に示すように、例えば、外扉２の外壁面に外扉２の内壁面側から適宜の締結手段（図ではネジ）１３６により固定される。
【００４４】
前記カバー１２は、外扉２の外壁面側（利用者側の面）からパネル１３の枠内縁１３２に嵌合可能に形成される。カバー１２は、具体的には、概ねパネル１３の枠内縁１３２の形状に合わせた外縁１２０を有する。そして、カバー１２は、その上下方向の中央部が前方（利用者側）に向かって膨出するように全体的に湾曲形成される。つまり、本実施形態では、カバー１２は、上下方向に滑らかに湾曲している。カバー１２の下端部側の部位（以下において、カバー本体部という）１２１が、主に、外扉２の開口部２ａのうちの少なくとも前方領域Ｓに対応する部位を外扉２の外壁面側から覆う。カバー１２の上端部側は、その上端から投入口１０ａに対応する部位まで矩形状に切欠かれている。この矩形状に切欠かれた部位を挟むように一対のアーム１２２，１２２が湾曲しつつ上方に延びている。カバー１２は、カバー本体部１２１の下端部と一対のアーム１２２，１２２の先端部がパネル１３の枠内縁１３２に嵌合する。また、一対のアーム１２２，１２２の基端部間を連結するように連結部１２３が形成されている。この連結部１２３には、投入口１０ａを構成する投入溝１２４が形成されている。そして、カバー１２の背面側の適宜箇所（例えば、カバー本体部１２１の背面や一対のアーム１２２，１２２の対向縁部等）には、補強用のリブ１２５が上下方向に延設されている。カバー本体部１２１の背面に形成されるリブ１２５のうち、通路１０ｂの上側部分（前記投入ガイド部）に対応する部分に設けられるリブ１２５は、図７に示すように、商品引換カードＣを斜めにガイドするようにカバー本体部１２１の背面から突設されている。このリブ１２５により、投入された商品引換カードＣとカバー本体部１２１との接触面積が減少し、商品引換カードＣが良好に滑動落下するように構成されている。
【００４５】
また、本実施形態では、カバー１２は、その外縁１２０のうちの所定部位１３３に対応する部位に突設されると共にパネル１３の枠内縁１３２（つまり、所定部位１３３）と係合する係合爪１２６を有する。係合爪１２６は、少なくとも２箇所（本実施形態では４箇所）に設けられる。
【００４６】
具体的には、係合爪１２６は、図９〜図１２に示すように、パネル１３の下側内縁１３２ａに設定される所定部位１３３と係合する下側係合爪１２６ａと、上側内縁１３２ｂに設定される所定部位１３３と係合する上側係合爪１２６ｂとからなる。下側係合爪１２６ａは、カバー１２の下側外縁の幅方向両端部にそれぞれ形成され、上側係合爪１２６ｂは、カバー１２の一対のアーム１２２，１２２の先端部にそれぞれ形成される。各上側係合爪１２６ｂは、図１０及び図１１に示すように、アーム１２２の先端部から外扉２側に向って延伸すると共に、その延伸端にて上方に向かって屈曲するように形成されている。また、各下側係合爪１２６ａは、図１０及び図１２に示すように、カバー１２の下側外縁におけるパネル１３の所定部位１３３に対応する部位から外扉２側に向って延伸し、その延伸端における上下方向の厚みが厚くなるように形成されている。下側係合爪１２６ａにおけるパネル１３の下側内縁１３２ａとの係合代ｔａは、上側係合爪１２６ｂにおけるパネル１３の上側内縁１３２ｂとの係合代ｔｂより小さくなるように設定されている。
【００４７】
前記支持フレーム１４は、カード投入ユニット１０のベースとなるものであり、外扉２の内壁面に適宜の締結手段（図ではネジ）１３６により固定されている。支持フレーム１４は、例えば、樹脂製部材からなり、図７、図９及び図１０に示すように、支持プレート１４１と、一対のアーム支持部１４２，１４２とを有する。
支持プレート１４１は、外扉２の内壁面側に位置し、その背面側にカードリーダ６やカードロック部１１が取付けられる。支持プレート１４１の正面側には表示部１５が取付けられる。また、支持プレート１４１の背面側の適宜箇所には、補強用のリブが設けられている。そして、支持プレート１４１の前面側における通路１０ｂを区画する部位には、上下方向に延びる凸部１４３（図９参照）が適宜形成されている。この凸部１４３により、投入された商品引換カードＣと支持プレート１４１との接触面積が減少し、商品引換カードＣが良好に滑動落下するように構成されている。また、一対のアーム支持部１４２，１４２は、パネル１３の一対のアーム１２２，１２２を含む側部をその背面から支持するものであり、支持プレート１４１の幅方向両側部からそれぞれ前方に向かって突設される。一対のアーム支持部１４２，１４２は、外扉２の内壁面側からその開口部２ａを介してパネル１３の前面より前方に突出するように挿通される。この状態で、一対のアーム支持部１４２，１４２の間に、表示部１５及びカードリーダ保護部１３４が位置している。
【００４８】
前記表示部１５は、投入口１０ａの上方に配置され、利用者等に対する適宜の情報を表示するものであり、例えば、ＬＥＤ基板等を含んで構成されている。この表示部１５は、支持フレーム１４の支持プレート１４１の正面側に固定されると共に、その上端部がパネル１３の上側内縁１３２ｂの幅方向中央部に切欠き形成された部位に嵌合している。表示部１５は、例えば、「カードを投入して下さい」、「売切れ中」、「現在ご利用いただけません」等の利用者等に対する情報を適宜に切替えて表示する。この表示部１５の表示内容の切替えは、例えば、制御部３０により制御される。
【００４９】
次に、パネル１３とカバー１２との係合の解除方法を、図１１〜図１４を参照して説明する。
図１３は、上記解除方法を説明するための概念図であり、図１３（Ａ）はカバー１２がパネル１３と係合して取付けられている通常の状態を示し、図１３（Ｂ）はカバー１２の下側係合爪１２６ａとパネル１３との係合が解除された状態を示し、図１３（Ｃ）はカバー１２が完全に取外された状態を示す。図１４は図１３（Ｃ）の状態の商品自動搬出機１００を示した図である。なお、本実施形態では、パネル１３とカバー１２との係合を解除するための前記解除部材Ｊは、金属製の薄板プレートからなり、パネル１３の下側外縁１３１ａに形成された挿通溝１３５ａに挿通可能な幅及び厚みをそれぞれ有する一対の挿通プレート部Ｊ１，Ｊ１と、一対の挿通プレート部Ｊ１，Ｊ１の基端部間を接続する連結プレート部Ｊ２とからなるものとする。なお、解除部材Ｊは、金属製の薄板プレートに限らず、樹脂製の薄板プレートや、金属製又は樹脂製の丸棒等の適宜材質及び形状を有したものを適用することができる。
【００５０】
図１１及び図１２に示すように、カバー１２は、下側係合爪１２６ａ及び上側係合爪１２６ｂがそれぞれパネル１３の所定部位１３３に係合した状態で、図１３（Ａ）に示すように、パネル１３と係合して取付けられている。この状態で、図１３（Ｂ）に示すように、例えば、店舗の店員等により、解除部材Ｊの挿通プレート部Ｊ１を、挿通経路１３５の開口端である挿通溝１３５ａを介して挿通させる。このとき、挿通された挿通プレート部Ｊ１の先端部が、下側係合爪１２６ａの端部まで到達して下側係合爪１２６ａの端部に当接する。そして、店員等がさらに解除部材Ｊを押上げると、下側係合爪１２６ａが解除部材Ｊにより押圧されて、図１２に白抜き矢印で示す方向に、弾性変形し始める。そして、この弾性変形の上下方向における変形量が係合代ｔａより大きくなるところまで、解除部材Ｊが押上げられると、カバー１２の下側係合爪１２６ａとパネル１３の下側内縁１３２ａの所定部位１３３との係合が解除される。そして、店員等が、この状態で、図１３（Ｂ）に示すようにカバー１２を手前に引き寄せてカバー１２を斜めに傾斜させた後、カバー１２を例えば斜め下方に移動させることにより、図１３（Ｃ）及び図１４に示すように、カバー１２はパネル１３から完全に取外される。
【００５１】
かかる本実施形態による商品自動搬出機１００によれば、一側面が開口された商品自動搬出機本体１の開口を開閉する外扉２に設けられるカード投入ユニット１０の投入口１０ａから投入された商品引換カードＣを、通路１０ｂを介して商品自動搬出機本体１内のカードリーダ６の前方領域Ｓに導く。そして、商品自動搬出機１００は、この前方領域Ｓに導かれた商品引換カードＣからカードリーダ６により情報を読取り、その読取情報に基づいて商品収納装置４内の商品を搬出する。したがって、利用者は、単に、商品引換カードＣを投入口１０ａから投入するだけで搬出された商品を受取ることができる。また、情報が読取られた商品引換カードＣは返却されることなく通路１０ｂを介して商品自動搬出機本体１（詳しくは回収部２０）内に導かれて回収されるため、利用者が商品引換カードＣのその後の処理や管理に煩わしさを感じることもない。さらに、通常時においては、カバー１２により少なくとも通路詰まりの主な発生箇所であるカードリーダ６の前方領域Ｓを外扉２の外壁面側から覆うと共に、このカバー１２を外扉２の外壁面に固定されるパネル１３と係合させることにより、カバー１２をカードリーダ６の前方領域Ｓを覆った状態で保持することができる。また、通路詰まりの発生時においては、店舗の店員等により、挿通経路１３５を介して解除部材Ｊを、カバー１２の外縁１２０と係合するパネル１３の縁部１３０の所定部位１３３に向かって挿通させることにより、パネル１３とカバー１２との係合を解除させることができる。したがって、通路詰まりの発生時においては、解除部材Ｊを用いてカバー１２をはずして異物等を取除くことができるため、外扉２を閉じた状態で通路詰まりを解消させることができる。
【００５２】
このようにして、商品を受取る際の装置に対する利用者の操作手数を減らし、利用者が簡単に商品を受取ることが可能であると共に、外扉２を開けることなく商品引換カードＣ等の詰まりを解消させることが可能な商品自動搬出機１００を提供することができる。
【００５３】
また、本実施形態では、パネル１３のカバー１２と係合する所定部位１３３は枠内縁１３２のうちの互いに対向する一対の枠内縁１３２，１３２のそれぞれに位置しており、挿通経路１３５は、一対の枠内縁１３２，１３２のうちのいずれか一方に対向する枠外縁１３１を通過している。このように、係合箇所である所定部位１３３を、枠内縁１３２の四辺のうちの対向する二辺に設定することにより、挿通経路１３５をパネル１３の四辺のうちの一辺側にのみ設けるだけで、パネル１３とカバー１２との係合を解除可能な構造を構築することができる。
【００５４】
また、本実施形態では、一対の枠内縁１３２，１３２は下側内縁１３２ａと上側内縁１３２ｂであるものとした。これにより、本実施形態のように、上下方向の中央部を前方に向かって膨出するように湾曲させたカバー１２に好適な係合構造を構築することができる。また、このように、カバー１２を湾曲形成することにより、カバー１２の中央部をパネル１３の前面より前方に突出させることができる。その結果、カバー１２とパネル１３の係合を解除させた後に、店舗の店員等がカバー１２を容易に手前に引き寄せて取外すことができる。
【００５５】
また、本実施形態では、挿通経路１３５は、パネル１３の下端枠側に形成されるものとした。これにより、例えば、挿通経路１３５の位置を利用者等の第三者に視認され難い箇所に、挿通経路１３５の開口端である挿通溝１３５ａを開口させることができる。
【００５６】
また、本実施形態では、パネル１３は外扉２の外壁面に例えば外扉２の内壁面側から締結手段１３６により固定され、カバー１２は外扉２の外壁面側からパネル１３の枠内縁に嵌合されている。これにより、パネル１３を外部から取外せないように外扉２に固定する一方で、カバー１２については外部から取外せる構造を容易に構築することができる。
【００５７】
また、本実施形態では、カードリーダ６により前記情報が読取られた商品引換カードＣを収納して回収する回収部２０を商品自動搬出機本体１内に備え、通路１０ｂは上下方向に延伸するように形成され、その上端が投入口１０ａに接続され、下端が回収部２０に向かって下向きに開口されている。これにより、使用済みの商品引換カードＣを簡易な構造で確実に回収することができる。
【００５８】
また、本実施形態では、通路１０ｂは上下方向に延伸するように形成され、通路１０ｂのうちの前方領域Ｓより下方の領域にて進退することにより、商品引換カードＣの移動を規制する進退ロッド１１ａを有したカードロック部１１を備えている。これにより、商品引換カードＣを通路１０ｂ内におけるカードリーダ１２の前方領域Ｓで停止させて、カードリーダ１２により商品引換カードＣ内の前記情報を確実に読取らせることができる。また、通路１０ｂを介して、商品引換カードＣを投入口１０ａから回収部２０へ容易に導くことができる。
【００５９】
なお、本実施形態では、挿通経路１３５は、一対の枠内縁１３２，１３２のうちの下側内縁１３２ａに対向する下側外縁１３１ａを通過し、パネル１３の下端枠側に形成されるものとしたが、これに限らず、パネル１３の上端枠側に形成してもよいし、パネル１３の下端枠側及び上端枠側の両方に形成してもよい。挿通経路１３５をパネル１３の上端枠側に形成する場合は、挿通溝１３５ａをパネル１３の上側外縁１３１ｂ（図１０参照）に形成すればよい。
【００６０】
また、パネル１３のカバー１２と係合する所定部位１３３は一対の枠内縁１３２，１３２のそれぞれに位置するものとし、一対の枠内縁１３２，１３２は下側内縁１３２ａと上側内縁１３２ｂであるものとした。しかし、一対の枠内縁１３２，１３２は、これに限らず、図示を省略するが、上下方向に延びる枠内縁１３２，１３２（つまり、正面側から視て左側内縁と右側内縁）であるものとしてもよい。この場合、カバー１２を、例えば、上下方向ではなく左右方向（幅方向）に滑らかに湾曲するように形成し、その左側外縁及び右側外縁をパネル１３の左側内縁及び右側内縁に係合させればよい。
【００６１】
また、パネル１３のカバー１２と係合する所定部位１３３は、枠内縁１３２のうちの互いに対向する一対の枠内縁１３２，１３２のそれぞれに位置するものとしたが、これに限らず、例えば、枠内縁１３２の三辺又は四辺に設けてもよい。これらの場合、挿通経路１３５を適宜に形成すると共に、適宜の個数の係合爪１２６を適宜に設ければよい。
【００６２】
また、パネル１３は、外扉２の外壁面に外扉２の内壁面側から締結手段１３６により固定されるものとしたが、これに限らず、外扉２に適宜に固定すればよい。
【００６３】
また、カバー１２は係合爪１２６を有し、係合爪１２６が挿通経路１３５を介して挿通される解除部材Ｊにより押圧されて弾性変形することにより、カバー１２とパネル１３との係合が解除される構成としたが、これに限らない。図示を省略するが、例えば、パネル１３は所定部位１３３に突設されると共にカバー１２の外縁と係合する適宜形状の係合爪を有し、このパネル１３側の係合爪が挿通経路１３５を介して挿通される解除部材Ｊと当接して弾性変形することにより、カバー１２とパネル１３との係合が解除されるように構成してもよい。
【００６４】
また、パネル１３は、略矩形の枠状に形成され、その枠外縁１３１の輪郭及び枠内縁１３２の輪郭がそれぞれ概ね矩形状である場合を一例に挙げて説明したが、これに限らない。前記輪郭としては、例えば、円形等の適宜の形状を適用することができる。また、枠外縁１３１と枠内縁１３２の輪郭形状が異なってもよい。つまり、例えば、枠外縁１３１の輪郭が円形状で、枠内縁１３２の輪郭が搬出対象の容器入り飲料の容器の外形形状に模した形状であってもよい。これらの場合、カバー１２はパネル１３の枠内縁１３２の輪郭に応じて適宜の形状に形成すればよい。また、パネル１３は、枠状に限らず、例えば、矩形枠の一辺部（下端枠等）を開放させた門型状等の適宜形状を適用することができる。門型状のパネル１３の場合、例えば、パネル１３の縁部１３０のうちの内側縁部に、カバー１２の外縁１２０と係合する所定部位１３３を適宜に設定すればよい。
【００６５】
また、挿通経路１３５は、パネル１３の枠外縁１３１に挿通溝１３５ａを開口させて構成したが、これに限らない。例えば、挿通経路１３５としてパネル１３の正面に小穴を開口して、丸棒状の解除部材Ｊを挿入してパネル１３とカバー１２との係合を解除可能に構成してもよい。また、挿通経路１３５はパネル１３に限らず、カバー１２に設けてもよい。この場合、例えば、挿通経路１３５としてカバー１２の正面に小穴を開口すればよい。
【００６６】
また、カードリーダ１２は情報読取機能のみを有するものとしたが、これに限らず、商品引換カードＣに対する情報書き込み機能を備えてもよい。
【００６７】
また、商品識別情報は一桁からなる単なる飲料番号ＤＮ（１〜５）であるものとしたが、これに限らず、ＪＡＮコード等の適宜の識別情報を用いることができる。また、搬出許可情報は、商品識別情報からなるものとしたが、これに限らず、その商品が収納されるコラム番号ＣＮであってもよい。また、搬出許可情報は、商品識別情報やコラム番号ＣＮに限らない。例えば、収納される商品が１種類である場合には、商品の種別やその商品が収納される商品収納コラム４ａの位置を制御部３０に伝達する必要がないため、搬出を許可することを識別可能な予め定めた情報であってもよい。
【００６８】
また、商品自動搬出機１００は、商品として過冷却飲料を収納及び搬出するものであるとしたが、これに限らず、設定温度範囲が広い（緩い）通常のコールド飲料やホット飲料を収納及び搬出するように構成してもよい。この場合、第１収納装置４１及び第２収納装置４２の両方を常に搬出中装置として設定すればよい。また、商品としては、容器入り飲料に限らず、適宜の商品を収納及び搬出することができる。
【００６９】
また、商品自動搬出機１００は、装置に対する金銭決済処理を行わずに商品引換カードＣを介して商品を利用者に提供する構成とした。つまり、商品自動搬出機１００は、従来の自動販売機に設けられる商品選択ボタン、硬貨投入口、紙幣投入口等からなる金銭処理装置を備えないものとしたが、これに限らず、商品自動搬出機１００は、前記金銭処理装置を備えてもよい。この場合、商品自動搬出機１００は、例えば、装置の操作に不慣れな高齢者や外国人等に売れ筋の商品については商品引換カードＣを介して搬出可能にし、残りの商品又は全ての商品について従来の自動販売機と同じように利用者により商品選択ボタンを介して選択された商品について、金銭処理装置を介して金銭決済が行われるように構成してもよい。
【００７０】
以上、好ましい実施形態及びその変形例を参照して本発明の内容を具体的に説明したが、本発明の基本的技術思想及び教示に基づいて、当業者であれば、さらに、種々の変形態様を採り得ることは自明である。
【符号の説明】
【００７１】
１・・・・・商品自動搬出機本体（装置本体）
２・・・・・外扉
２ａ・・・・開口部
４・・・・・商品収納装置
６・・・・・カードリーダ（読取部）
１０・・・・カード投入ユニット（投入部）
１０ａ・・・投入口
１０ｂ・・・通路
１１・・・・カードロック部（保持部）
１１ａ・・・進退ロッド
１２・・・・カバー
１３・・・・パネル
１２０・・・外縁
１２６・・・係合爪
１３０・・・縁部
１３１・・・枠外縁
１３２・・・枠内縁
１３２ａ・・下側内縁
１３２ｂ・・上側内縁
１３３・・・所定部位
１３５・・・挿通経路
１３６・・・締結手段（ネジ）
２０・・・・回収部
１００・・・商品自動搬出機
Ｃ・・・・・商品引換カード（記録媒体）
Ｊ・・・・・解除部材
Ｓ・・・・・前方領域
【図１】
2017227950.tif 000003
【図２】
2017227950.tif 000004
【図３】
2017227950.tif 000005
【図４】
2017227950.tif 000006
【図５】
2017227950.tif 000007
【図６】
2017227950.tif 000008
【図７】
2017227950.tif 000009
【図８】
2017227950.tif 000010
【図９】
2017227950.tif 000011
【図１０】
2017227950.tif 000012
【図１１】
2017227950.tif 000013
【図１２】
2017227950.tif 000014
【図１３】
2017227950.tif 000015
【図１４】
2017227950.tif 000016